(57)【要約】      （修正有）【課題】組み立てられる仮設ポールの中間高さに種々の部品を容易に支持させることが出来る工事現場用仮設ポールを提供する。【解決手段】ポール単体１と接続部材（他のポール単体１など）の互に嵌合する嵌合部が、差込み用小径軸部６と受け用筒状部７とから成り、差込み用小径軸部６の基端に隣接して角形被嵌合部１３が形成され、この仮設ポールに対する取付け部品（リフレクタ３２）には、差込み用小径軸部６の先端側から角形被嵌合部１３に相対回転不能に嵌合させる板状取付け部材３３が設けられ、差込み用小径軸部６を受け用筒状部７に制限深さまで差し込んだとき、角形被嵌合部１３に嵌合する板状取付け部材３３が受け用筒状部７の先端との間に位置決めされるように構成され、差込み用小径軸部６を受け用筒状部７に制限深さまで差し込んだ状態で両者を相対回転不能に係止する係止手段が設けられた構成。【選択図】図７
0003180685.tif 000002
【実用新案登録請求の範囲】
【請求項１】
ポール単体と、このポール単体の端部に嵌合して接続される接続部材を備えた工事現場用仮設ポールにおいて、ポール単体と接続部材の互に嵌合する嵌合部が、ポール単体と接続部材の内の一方に設けられた差込み用小径軸部と、他方に設けられた受け用筒状部とから成り、前記差込み用小径軸部の基端に隣接して角形被嵌合部が形成され、この仮設ポールに対する取付け部品には、前記差込み用小径軸部の先端側から前記角形被嵌合部に相対回転不能に嵌合させる板状取付け部材が設けられ、前記差込み用小径軸部を前記受け用筒状部に制限深さまで差し込んだときに前記板状取付け部材が受け用筒状部の先端との間に位置決めされるように構成され、前記差込み用小径軸部を前記受け用筒状部に制限深さまで差し込んだ状態で両者を抜け止め状態に係止する係止手段が設けられている、工事現場用仮設ポール。
【請求項２】
前記受け用筒状部は、下側になるポール単体の上端に設けられ、前記差込み用小径軸部は、上側になる接続部材の下端に設けられている、請求項１に記載の工事現場用仮設ポール。
【請求項３】
前記接続部材が、前記ポール単体と同一構造で当該ポール単体の上端に継ぎ足される別のポール単体である、請求項１又は２に記載の工事現場用仮設ポール。
【請求項４】
前記接続部材が、ポール単体の上端に接続されるキャップ用取付け部品である、請求項１又は２に記載の工事現場用仮設ポール。
【考案の詳細な説明】
【技術分野】
【０００１】
本考案は、道路や建造物の工事現場において、安全対策などのために仮設される各種部材の支持に利用出来る工事現場用仮設ポールに関するものである。
【背景技術】
【０００２】
道路や建造物の工事現場においては、通行人や工事関係者に対する安全対策として、危険エリアを表示したり区画するためなどに各種部材が仮設される。例えば、自発光型や反射式の表示器は、路面上に立設される仮設ポールの上端や中間高さに取り付けられる。又、ロープやチエンなどは、路面上に適当間隔おきに立設される仮設ポールの上端や中間高さに取り付けられたロープガイドやチエンフックなどを利用して所定エリアに沿って配設される。このように工事現場では、地面上などに立設される仮設ポールを利用して安全対策上の各種取付け部品が配設されるのであるが、この仮設ポールに対する各種取付け部品の取り付けを容易にする特別な構成は従来考えられていなかった。即ち、仮設ポールに取付け部品を取り付ける構造としては、特許文献１に記載されるように仮設ポールの上端の孔に、防獣ネットなどを張設するためのロープを係止するＳ字状フックを引っ掛ける構造、同じくこの特許文献１に記載されるように仮設ポールの中間高さに防獣ネットなどの側辺を紐止めする構造、特許文献２に記載されるように、仮設ポールの上端にランプなどの取付け部品を仮設ポールと同心状のネジ嵌合により取り付ける構造、或いは特許文献３に記載されるように、仮設ポールの上端にプリズム反射体などの取付け部品に設けたキャップ部分を被せて横からネジ止めする構造などが知られているに過ぎない。
【０００３】
更に、仮設ポールを継ぎ足し構造とすることも、特許文献４に記載のネジ嵌合による接続構造、特許文献５に記載のように、一方のポール単体の差込み用小径軸部と他方のポール単体の受け用筒状部とを嵌合させると共に回転させて、係止ピンと係合溝とを抜け止め状態に傾動させる構造、特許文献６に記載の互いに重なるフランジどうしを周方向複数本のボルトナットにより締結する構造、そして特許文献７に記載のようにネジ操作によりポール単体内側の可動部材を半径方向に軸心から遠ざかる方向に移動させて、相手側のポール単体の内面に圧接させる構造などが知られているが、この仮設ポールの継ぎ足し構造を、当該仮設ポールの中間高さへの取付け部品の取付けに利用するようなことも全く考えられていなかった。
【先行技術文献】
【特許文献】
【０００４】
【特許文献１】特開２０００−９３０６６号公報
【特許文献２】特開２００５−２９９１６５号公報
【特許文献３】特開２０００−３３６８０６号公報
【特許文献４】特開２００３−２３９９２３号公報
【特許文献５】特開２００４−１０８１３３号公報
【特許文献６】特開２００４−１６２４８６号公報
【特許文献７】特開２００４−２７０３７３号公報
【考案の概要】
【考案が解決しようとする課題】
【０００５】
上記のように特許文献によって知られている従来の仮設ポールに対する各種取付け部品の取付け構造では、仮設ポールの上端にキャップ状に被せてネジ止めする以外になく、仮設ポールの中間高さに取り付ける場合には、その取付け部品が紐止め出来るものであれば紐止めし、リフレクタや金属加工品のロープガイドやチエンフック、或いは看板用ブラケットであれば、仮設ポールを周囲から把持してボルトナットにより締結固定出来る二つ割取付け手段を取付け部品に予め取り付けておくこと位しか方法がなく、手間が掛かる割には強固な取付けが出来ないし、ネジ止めの場合は、ネジの緩みによって取付け部品が落下したり、逆にネジの錆び付きにより取り外しが困難になることも考えられる。
【課題を解決するための手段】
【０００６】
本考案は、上記のような従来の問題点を解消することのできる工事現場用仮設ポールを提案するものであって、本考案に係る工事現場用仮設ポールは、ポール単体と、このポール単体の端部に嵌合して接続される接続部材を備えた工事現場用仮設ポールにおいて、ポール単体と接続部材の互に嵌合する嵌合部が、ポール単体と接続部材の内の一方に設けられた差込み用小径軸部と、他方に設けられた受け用筒状部とから成り、前記差込み用小径軸部の基端に隣接して角形被嵌合部が形成され、この仮設ポールに対する取付け部品には、前記差込み用小径軸部の先端側から前記角形被嵌合部に相対回転不能に嵌合させる板状取付け部材が設けられ、前記差込み用小径軸部を前記受け用筒状部に制限深さまで差し込んだときに前記板状取付け部材が受け用筒状部の先端との間に位置決めされるように構成され、前記差込み用小径軸部を前記受け用筒状部に制限深さまで差し込んだ状態で両者を抜け止め状態に係止する係止手段が設けられた構成になっている。
【０００７】
尚、前記ポール単体は、仮設ポール本体を構成するポール単体の他、仮設ポール本体を定位置に据え付ける据付け手段として、仮設ポール本体の下端部に接続される杭用ポール単体、クランプ取付け用ポール単体、固定用ベースが備えるポール単体などを含む。又、前記接続部材は、前記据付け手段側の各種ポール単体の上端に接続される仮設ポール本体側のポール単体や、仮設ポール本体が複数本のポール単体の接続によって構成される場合の、下側ポール単体の上端に接続される上側ポール単体の他、仮設ポール本体の上端に位置するポール単体の上端をカバーするキャップ用取付け部品などを含む。
【０００８】
従って、本発明の仮設ポールは、複数本のポール単体の接続によって構成される仮設ポールの他、１本の長尺ポール単体のみから構成される仮設ポール本体とこれの下端に接続されるポール単体を備えた前記据付け手段との組み合わせからなる仮設ポールや、１本の長尺ポール単体のみから構成される仮設ポール本体とこれの上端に接続される前記キャップ用取付け部品との組み合わせからなる仮設ポールを含むものである。又、仮設ポール全体として複数の嵌合接続部がある場合、その全ての接続嵌合部に本発明の構成を適用しても良いし、選択された特定の嵌合接続部にのみ本発明の構成を採用しても良い。尚、前記取付け部品としては、リフレクタ、ロープガイド、チエンフック、看板用ブラケットなどが一般的に考えられるが、これらに限定されるものではない。
【０００９】
更に、下記の実施例では、下側のポール単体の上端に受け用筒状部を構成し、上側のポール単体や前記キャップ用取付け部品などの接続部材の下端に差込み用小径軸部を構成したが、この逆に、下側のポール単体の上端に差込み用小径軸部を構成し、上側のポール単体や前記キャップ用取付け部品などの接続部材の下端に受け用筒状部を構成しても良い。この構成を採用するときは、取付け部品の板状取付け部材を前記差込み用小径軸部に対して上から嵌合させて角形被嵌合部に嵌合支持させることが出来るので、作業性が良くなる。
【考案の効果】
【００１０】
上記本考案の構成によれば、ポール単体とこのポール単体の端部に嵌合接続される接続部材（例えば他のポール単体や仮設ポール先端をカバーするキャップ用取付け部品などの接続部材）とを備えた仮設ポールにおいて、この仮設ポール全体（ポール単体を備えた前記据付け手段が組み合わされる場合は、この据付け手段を含む全体）の長さ方向の中間位置に取り付けるべき各種取付け部品（例えばリフレクタ、ロープガイド、チエンフック、看板用ブラケットなどの各種取付け部品）に、仮設ポール側の角形被嵌合部に相対回転不能に外嵌する角孔が設けられた板状取付け部材を設けておくだけで、前記ポール単体と接続部材との嵌合接続により仮設ポールを組み立てるときに、当該各種取付け部品を、仮設ポール全体の中間位置に簡単容易に、且つ当該各種取付け部品を仮設ポールの周方向所定の方向に向きを固定した状態で取り付けることが出来る。しかも、仮設ポール側には、当該仮設ポールの軸方向の嵌合接続部に必要な差込み用小径軸部の基部に角形の被嵌合部を形成しておくだけであって、特別な部品を追加する必要もないので、非常に安価に実施することが出来る。更に、仮設ポール全体の中間位置に取り付けられる各種取付け部品の板状取付け部材は、仮設ポールに対して外嵌している状態であるから、ネジ止めのようにネジの緩みによって不測に脱落する恐れもない。
【図面の簡単な説明】
【００１１】
【図１】図１は、本考案の工事現場用仮設ポールの組立て及び使用方法を説明する側面図である。
【図２】図２Ａは、ポール単体両端の嵌合部を示す側面図、図２Ｂは、同縦断側面図である。
【図３】図３Ａは、図２ＡのＡ−Ａ線断面図、図３Ｂは、図２ＡのＢ−Ｂ線断面図である。
【図４】図４Ａは、中間ポール単体の嵌合部の嵌合状態を示す一部縦断側面図、図４Ｂは、最下端ポール単体とその上のポール単体との嵌合部の嵌合状態を示す一部縦断側面図、図４Ｃは、最下端ポール単体の受け用筒状部の基部内側突出部を示す横断平面図である。
【図５】図５Ａは、キャップ用取付け部品としての自発光型表示器を示す側面図、図５Ｂは、その自発光型表示器を最上端ポール単体に取り付けた状態を示す側面図である。
【図６】図６Ａは、キャップ用取付け部品としてのコーンバー支持用キャップの正面図、図６Ｂは、同コーンバー支持用キャップの平面図、図６Ｃは、同コーンバー支持用キャップの取付け状態を示す側面図である。
【図７】図７Ａは、仮設ポールに取り付ける各種取付け部品としてのリフレクタの正面図、図７Ｂは、同リフレクタの平面図、図７Ｃは、同リフレクタの取付け状態を示す側面図である。
【図８】図８Ａは、仮設ポールに取り付ける各種取付け部品としてのロープガイドの正面図、図８Ｂは、同ロープガイドの平面図、図８Ｃは、仮設ポールに取り付ける各種取付け部品としてのチエンフックの平面図、図８Ｄは、同チエンフックの側面図、図８Ｅは、ロープガイドやチエンフックの取付け状態を示す側面図である。
【図９】図９Ａは、仮設ポールに取り付ける各種取付け部品としての看板用ブラケットの平面図、図９Ｂは、同看板用ブラケットの正面図、図９Ｃは、同看板用ブラケットの取付け状態を示す側面図である。
【図１０】図１０は、本考案の仮設ポールの第一の使用状態を示す正面図である。
【図１１】図１１は、本考案の仮設ポールの第二の使用状態を示す正面図である。
【図１２】図１２は、本考案の仮設ポールの第三の使用状態を示す正面図である。
【考案を実施するための形態】
【００１２】
図１において、１はポール単体、２は杭用ポール単体、３はクランプ取付け用ポール単体、４は注水式ベース、５は固定用ベースである。ポール単体１は、図２及び図３に示すように、所要長さのパイプ本体１ａの一端に、差込み用小径軸部６が同心状に連設されると共に、パイプ本体１ａの他端領域が受け用筒状部７となっている、合成樹脂のパイプ状一体成型物である。差込み用小径軸部６には係止手段８が内装されている。この係止手段８は、Ｖ字形に曲げた板バネ９の一端外側に短い位置決め用ピン１０が突設されると共に、前記板バネ９の他端外側にロックピン１１が突設されたもので、差込み用小径軸部６の先端近傍位置の周壁に直径方向に穿設された貫通ピン孔１２ａ，１２ｂの内、一方の貫通ピン孔１２ａに位置決め用ピン１０が嵌合すると共に他方の貫通ピン孔１２ｂにロックピン１１が嵌合するように、板バネ９の弾性に抗して差込み用小径軸部６に内装されている。尚、位置決め用ピン１０は、貫通ピン孔１２ａからは殆ど突出していないが、ロックピン１１は、貫通ピン孔１２ｂから大きく突出すると共に、先端は円錐状に面取り加工されている。
【００１３】
差込み用小径軸部６とパイプ本体１ａとの間には、差込み用小径軸部６よりも細くなく且つ各頂部がパイプ本体１ａの外周面から突出しない程度の太さの横断面八角形の角形被嵌合部１３が同心状に一体成形されている。ポール単体１の受け用筒状部７は、拡径された開口端部１４と、この受け用筒状部７内に他のポール単体１の差込み用小径軸部６を差し込んだときに当該差込み用小径軸部６の先端を受け止めるように内側に突出する周方向複数の突出部１５を備えている。そして図４Ａに示すように、受け用筒状部７内に他のポール単体１の差込み用小径軸部６を、当該差込み用小径軸部６の先端が前記突出部１５で受け止められる制限深さまで差し込んだとき、差込み用小径軸部６の基端側に連設された前記角形被嵌合部１３が受け用筒状部７の開口端部１４から外側に露出するように構成されると共に、当該差込み用小径軸部６の貫通ピン孔１２ｂから突出するロックピン１１の先端部を嵌合させることの出来る係止孔１６が、受け用筒状部７の周壁の周方向等間隔おきの複数個所（図示例は４箇所)に設けられている。
【００１４】
杭用ポール単体２、クランプ取付け用ポール単体３、及び固定用ベース５のポール単体５ａは、それぞれポール単体１のパイプ本体１ａとほぼ同一径の鋼管から構成されたものである。杭用ポール単体２は、鋼管本体２ａの下端側が打ち込み用尖端金具２ｂによって閉じられると共に、上端部が鋼管製の受け用筒状部１７となっている。クランプ取付け用ポール単体３は、上端側の受け用筒状部１７と下端側のクランプ取付け部１８とから成るもので、このクランプ取付け部１８にパイプクランプ１９やコ型クランプ２０が所定向きに取り付けられている。固定用ベース５のポール単体５ａは、受け用筒状部１７を構成する鋼管をベース板５ｂの上に溶接により立設したものである。注水式ベース４は、内部に注水することにより重量を増大させた状態で地面上などの仮設ポール据付け位置に載置されるもので、中央に上端開口のポール単体差込み孔２１を備えている。
【００１５】
杭用ポール単体２、クランプ取付け用ポール単体３、及び固定用ベース５のポール単体５ａが備える鋼管製の受け用筒状部１７は、杭用ポール単体２の受け用筒状部１７を例示している図４Ｂに示すように、ポール単体１の合成樹脂製の受け用筒状部７と異なって、先端は鋼管の切断端そのままであって拡径された開口端部１４を備えていない。又、受け用筒状部７に設けられた周方向複数の突出部１５に代えて、周方向に沿ったほぼ半円弧形の周方向２つの円弧状突出部２２が、この受け用筒状部１７内に制限深さまで差し込まれたポール単体１の差込み用小径軸部６の先端を受け止める位置に、内側に突出するようにプレス加工により設けられている。又、この受け用筒状部１７内にポール単体１の差込み用小径軸部６が制限深さまで差し込まれたとき、係止手段８のロックピン１１の先端部を嵌合させることの出来る係止孔２３が、受け用筒状部１７の周壁の周方向等間隔おきの複数個所（図示例は４箇所)に設けられている。尚、この受け用筒状部１７内にポール単体１の差込み用小径軸部６が制限深さまで差し込まれたときも、差込み用小径軸部６の基端側に連設された前記角形被嵌合部１３が受け用筒状部１７の開口端より外側に露出するように構成されている。
【００１６】
図５Ａに示すキャップ用取付け部品としての自発光型表示器２４は、ポール単体１の、係止手段８を内装した差込み用小径軸部６及びその直上に設けられた角形被嵌合部１３と同一の、係止手段８を内装した差込み用小径軸部６及び角形被嵌合部１３を備えた取付け用軸部２５を、自発光型表示器２４の下端台座部２４ａの下側に一体に連設したものである。図６Ａに示すキャップ用取付け部品としてのコーンバー支持用キャップ２６は、コーンバー２７の端部に連設されたリング２８を載置出来る直径の台座部２９の上に、前記リング２８が丁度外嵌し得る外径を有する円形突出部３０を同心状に連設すると共に、当該円形突出部３０の上端周辺にリング２８の抜け止め用突起部３１を周方向等間隔おきの複数個所（図示例は４箇所）に突設し、台座部２９の底部中央位置から下向きに、前記自発光型表示器２４が備える取付け用軸部２５と同一の取付け用軸部２５を一体に連設して成るものであり、取付け用軸部２５の下端のみが解放された中空状の合成樹脂一体成型品である。
【００１７】
図７に示すリフレクタ３２は、垂直向きのリフレクタ本体３２ａの周辺から後方に直角向きに連設された板状取付け部材３３に、ポール単体１の差込み用小径軸部６や自発光型表示器２４又はコーンバー支持用キャップ２６の取付け用軸部２５などに設けられている前記角形被嵌合部１３に相対回転不能に嵌合する角形孔３４を設けたものであって、リフレクタ本体３２ａは、板状取付け部材３３に対して直角上向きの状態と直角下向きの状態の何れでも使用可能なものである。図８Ａ，Ｂに示すロープガイド３５は、一枚の金属板の打ち抜きによって構成されたもので、板状取付け部材３６に、前記リフレクタ３２の板状取付け部材３３に設けられた角形孔３４と同一の角形孔３７を設けると共に、この板状取付け部材３６から直径方向両側に突出させた突出片３６ａ，３６ｂにロープ挿通孔３８ａ，３８ｂを設けたものである。
【００１８】
又、図８Ｃ，Ｄに示すチエンフック３９は、一枚の金属板の打ち抜きによって構成されたもので、板状取付け部材４０に、前記リフレクタ３２の板状取付け部材３３に設けられた角形孔３４と同一の角形孔４１を設けると共に、この板状取付け部材４０の周辺一箇所からＵ字形のフック本体４２を一体に連設したものである。更に、図９に示す看板用ブラケット４３は、取付け用本体４４と看板固定部材４５とからなるものである。取付け用本体４４は、前記リフレクタ３２の板状取付け部材３３に設けられた角形孔３４と同一の角形孔４６を備えた板状取付け部材４７から直角下向きに看板受け部材４８を折曲連設したものであり、看板固定部材４５は、前記看板受け部材４８との間で看板４９の上側辺を挟持固定するもので、前記看板受け部材４８に設けられた左右一対の、それぞれ貫通ネジ孔を有するナット部５０ａ，５０ｂに対して螺合する左右一対の蝶ボルト５１ａ，５１ｂとの間で挟んだ状態で、左右一対の蝶ボルト５１ａ，５１ｂの螺軸部を看板固定部材４５に設けられたボルト挿通孔及び看板４９に設けられたボルト挿通孔を貫通させて看板受け部材４８のナット部５０ａ，５０ｂに螺合締結させることにより、看板４９の上側辺を看板用ブラケット４３に取り付けて垂下させることが出来る。
【００１９】
次に本考案に係る工事現場用仮設ポールの使用方法について説明すると、図１０〜図１２に示す仮設ポール本体５２は、その仮設ポール本体５２に必要な長さ分だけの本数のポール単体１の接続によって組み立てられる。ポール単体１どうしの接続は、図４Ａに示すように、上側ポール単体１の下端の差込み用小径軸部６を下側ポール単体１の上端の受け用筒状部７内に制限深さまで差し込むと共に、差込み用小径軸部６が備える係止手段８のロックピン１１を下側ポール単体１側の受け用筒状部７が備える係止孔１６の１つに、板バネ９の弾性力によって嵌合させることにより行われる。このとき、上側ポール単体１側の差込み用小径軸部６の下端が、下側ポール単体１側の受け用筒状部７が備える周方向複数の突出部１５によって受け止められる。このようにして組み立てられた仮設ポール本体５２は、互に接続される全てのポール単体１が係止手段８によって、そのポール軸心の周りの相対回転不能で且つ引抜き不能に一体化されている。
【００２０】
図１０に示す仮設ポールは、上記のようにして組み立てられる仮設ポール本体５２を、杭用ポール単体２を利用して地面上の所定位置に立設したものである。杭用ポール単体２は、その上端の受け用筒状部１７に打撃用キャップ２ｃを被せた状態で、その打ち込み用尖端金具２ｂを利用して地面下所定深さまで鉛直に打ち込まれる。この杭用ポール単体２に対する仮設ポール本体５２の接続は、図４Ｂに示すように、仮設ポール本体５２の下端の差込み用小径軸部６を杭用ポール単体２の上端の受け用筒状部１７内に制限深さまで差し込むと共に、差込み用小径軸部６が備える係止手段８のロックピン１１を杭用ポール単体２側の受け用筒状部１７が備える係止孔２３の１つに、板バネ９の弾性力によって嵌合させることにより行われる。従って、仮設ポール本体５２は杭用ポール単体２に対して、そのポール軸心の周りの相対回転不能で且つ引抜き不能に一体化される。このとき、仮設ポール本体５２の下端の差込み用小径軸部６の下端が、杭用ポール単体２側の受け用筒状部１７が備える円弧状突出部２２によって受け止められる。
【００２１】
又、上記のようにして組み立てられる仮設ポール本体５２は、図１１や図１２に示すように、地面上などの仮設ポール設置位置に載置された注水式ベース４のポール単体差込み孔２１に差し込んで自立させることにより、仮設ポール本体５２単独で仮設ポールとして使用することも出来る。又、図１１に示すように、アンカーボルトなどで床版上などの仮設ポール設置位置に固定される固定用ベース５のポール単体５ａに仮設ポール本体５２の下端部を接続して、固定用ベース５により所定位置に立設することが出来る仮設ポールとしても使用出来る。更に、仮設ポール本体５２にクランプ取付け用ポール単体３を組み合わせ、当該クランプ取付け用ポール単体３に取り付けられているパイプクランプ１９又はコ型クランプ２０を利用して、水平に仮設されている鋼管手摺りや、地面上に載置されたＨ形鋼のプレート側辺に垂直に取り付けることが出来る仮設ポールとしても使用出来る。固定用ベース５やクランプ取付け用ポール単体３に仮設ポール本体５２を組み合わせて仮設ポールを構成するときは、杭用ポール単体２に仮設ポール本体５２を組み合わせて仮設ポールを構成する場合と同様に、仮設ポール本体５２の下端の差込み用小径軸部６を、固定用ベース５のポール単体５ａやクランプ取付け用ポール単体３が備える鋼管製の受け用筒状部１７内に制限深さまで差し込んで、この両者を係止手段８のロックピン１１により一体化することが出来るので、仮設ポール本体５２は固定用ベース５やクランプ取付け用ポール単体３に対して、そのポール軸心の周りの相対回転不能で且つ引抜き不能に一体化される。
【００２２】
以上のようにして地面上の所定位置に立設できる仮設ポールは、図１０〜図１２に例示するように使用することが出来る。何れの使用態様においても、仮設ポール本体５２の上端は、最上端のポール単体１の受け用筒状部７が上向きに開口しているので、最上端のポール単体１の受け用筒状部７に自発光型表示器２４やコーンバー支持用キャップ２６を取り付けておくのが望ましい。これら自発光型表示器２４やコーンバー支持用キャップ２６は、図５Ｂや図６Ｃに示すように、取付け用軸部２５を、ポール単体１どうしの接続時と同様に、最上端のポール単体１の受け用筒状部７に制限深さまで差し込むと共に係止手段８のロックピン１１によりロックすれば良い。この結果、仮設ポール本体５２の上端に自発光型表示器２４やコーンバー支持用キャップ２６が、そのポール軸心の周りの相対回転不能で且つ引抜き不能に一体化された仮設ポールが構成される。勿論、これら自発光型表示器２４やコーンバー支持用キャップ２６に代えて、取付け用軸部２５の上端にポール単体１の受け用筒状部７の上端を覆うキャップ本体のみを備えたキャップを組み合わせることも出来る。
【００２３】
図１０の使用態様では、各仮設ポール本体５２の中間高さと自発光型表示器２４の直下位置とにロープガイド３５を取り付けて、仮設ポール間にロープ５３を上下二段に張設すると共に、各仮設ポール本体５２の中間高さにリフレクタ３２を取り付け、更に、特定の仮設ポール本体５２の中間高さに看板用ブラケット４３を介して看板４９を取り付けている。図１１の使用態様では、各仮設ポール本体５２の上端に自発光型表示器２４やコーンバー支持用キャップ２６を取り付けると共に、これら自発光型表示器２４やコーンバー支持用キャップ２６の直下位置にチエンフック３９を取り付けて、仮設ポール本体５２の上端部間にチエン５４を張設している。更に、図１２の使用態様では、各仮設ポール本体５２の上端にコーンバー支持用キャップ２６を取り付けて、仮設ポールの上端部間にコーンバー２７を架設し、特定の仮設ポールの上端のコーンバー支持用キャップ２６の直下位置に看板用ブラケット４３を介して看板４９を取り付けている。
【００２４】
仮設ポールの中間高さ、即ち、仮設ポール本体５２のポール単体１どうしの接続部高さや、仮設ポール本体５２の上端に取り付けられたキャップ用取付け部品としての自発光型表示器２４、或いはコーンバー支持用キャップ２６の直下位置、若しくは、具体例を例示していないが、仮設ポール本体５２の最下端のポール単体１と、据付け手段側のポール単体である杭用ポール単体２、クランプ取付け用ポール単体３、及び固定用ベース５のポール単体５ａなどとの間に、リフレクタ３２、ロープガイド３５、チエンフック３９、或いは看板用ブラケット４３を取り付けるときは、これら取付け部品の取付け位置の上側となるポール単体１又は自発光型表示器２４或いはコーンバー支持用キャップ２６が備える差込み用小径軸部６の角形被嵌合部１３又は取付け用軸部２５の角形被嵌合部１３に、上記各取付け部品が備える板状取付け部材３３，３６，４０，４７の角形孔３４，３７，４１，４６を、差込み用小径軸部６又は取付け用軸部２５の先端側から嵌合させ、この状態で差込み用小径軸部６又は取付け用軸部２５を、下側になるポール単体１、杭用ポール単体２、クランプ取付け用ポール単体３、固定用ベース５のポール単体５ａなどの受け用筒状部７又は鋼管製の受け用筒状部１７内に制限深さまで差込み、差込み用小径軸部６又は取付け用軸部２５が備える係止手段８によりロックすれば良い。この結果、差込み用小径軸部６又は取付け用軸部２５の角形被嵌合部１３に嵌合している各種取付け部品の板状取付け部材３３，３６，４０，４７は、その直下のポール単体１などの上端と角形被嵌合部１３の上側につながるパイプ本体１ａなどとの間に挟まれて位置決めされるが、直下のポール単体１の上端、即ち、拡径された開口端部１４で支持される取付け部品は、杭用ポール単体２などの鋼管製の受け用筒状部１７の上端で支持される取付け部品と比較して、安定良く支持されることになる。
【００２５】
上記のようにしてリフレクタ３２、ロープガイド３５、チエンフック３９、或いは看板用ブラケット４３などの取付け部品を仮設ポールに取り付けたとき、これら取付け部品は、差込み用小径軸部６又は取付け用軸部２５の角形被嵌合部１３に相対回転不能に嵌合しており、差込み用小径軸部６又は取付け用軸部２５は、係止手段８により仮設ポール本体５２の軸心の周りに相対回転不能の状態に接続されるので、結果的に上記のように取り付けた各種取付け部品は、組み立てられた仮設ポールに対して周方向の向きが固定された状態になる。従って、取付け部品より下側になるポール単体１などがその軸心の周りに回転させることが出来ない状況にあるときは、取付け部品を取り付けた差込み用小径軸部６又は取付け用軸部２５をその下側のポール単体１などに差し込んで係止手段８でロックするとき、取付け部品の向きが希望する向きとなるように注意しなければならない。
【００２６】
又、上側のポール単体１の差込み用小径軸部６や自発光型表示器２４或いはコーンバー支持用キャップ２６の取付け用軸部２５を下側になるポール単体１などに制限深さまで差し込んだとき、下側になるポール単体１などの上端から上方に露出する角形被嵌合部１３の高さ（厚さ）を、上記各種取付け部品の板状取付け部材３３，３６，４０，４７の板厚の２倍以上になるように構成しておくことにより、例えば図１０に示すように仮設ポールの中間高さ一か所に２つの取付け部品、例えばロープガイド３５（又はチエンフック３９）とリフレクタ３２（又は看板用ブラケット４３）を取り付けることが可能である。
【産業上の利用可能性】
【００２７】
本考案の工事現場用仮設ポールは、仮設ポールの中間高さに種々の安全対策上の部品を簡単に且つ所定の向きで取り付けることが出来る仮設ポールとして活用することが出来る。
【符号の説明】
【００２８】
１    ポール単体
２    杭用ポール単体
３    クランプ取付け用ポール単体
４    注水式ベース
５    固定用ベース
６    差込み用小径軸部
７    受け用筒状部
８    係止手段
９    板バネ
１０    位置決め用ピン
１１    ロックピン
１３    角形被嵌合部
１４    拡径された開口端部
１５    周方向複数の突出部
１６，２３    係止孔
１７    鋼管製の受け用筒状部
１８    クランプ取付け部
１９    パイプクランプ
２０    コ型クランプ
２２    円弧状突出部
２４    自発光型表示器
２５    取付け用軸部
２６    コーンバー支持用キャップ
２７    コーンバー
２８    コーンバー端部のリング
３２    リフレクタ
３３，３６，４０，４７    板状取付け部材
３４，３７，４１，４６    角形孔
３５    ロープガイド
３９    チエンフック
４３    看板用ブラケット
４９    看板
５２    仮設ポール本体
５３    ロープ
５４    チエン
【図１】
0003180685.tif 000003
【図２】
0003180685.tif 000004
【図３】
0003180685.tif 000005
【図４】
0003180685.tif 000006
【図５】
0003180685.tif 000007
【図６】
0003180685.tif 000008
【図７】
0003180685.tif 000009
【図８】
0003180685.tif 000010
【図９】
0003180685.tif 000011
【図１０】
0003180685.tif 000012
【図１１】
0003180685.tif 000013
【図１２】
0003180685.tif 000014